(57)【要約】【課題】授乳などのスキンシップが快適に行える距離と位置関係とが保持できるとともに、親子の体格差によって寝具が偏ってしまうのを防止する。【解決手段】  面状をなす大掛布団と、大掛布団に隣接され、大掛布団よりも面積の小さい小掛布団と、大掛布団の、小掛布団が隣接される側端部に設けられる第１の連結部と、小掛布団の、第１の連結部に対応する側端部に設けられ、第１の連結部に連結可能な第１の連結部と、小掛布団の下方において、小掛布団に着脱可能に敷設される小敷布団と、小敷布団のいずれかの側端部を、小掛布団の、大掛布団が隣接される側端部に着脱可能に係止する敷布団係止部とを備える。【選択図】  図１
2009261736.tif 000002
【特許請求の範囲】
【請求項１】
面状をなす大掛布団と、
前記大掛布団に隣接され、該大掛布団よりも面積の小さい小掛布団と、
前記大掛布団の、前記小掛布団が隣接される側端部に設けられる第１の連結部と、
前記小掛布団の、前記第１の連結部に対応する側端部に設けられ、該第１の連結部に連結可能な第２の連結部と、
前記小掛布団の下方において、該小掛布団に着脱可能に敷設される小敷布団と、
前記小敷布団のいずれかの側端部を、前記小掛布団の、前記大掛布団が隣接される側端部に着脱可能に係止する敷布団係止部と
を備えることを特徴とする乳幼児保育用寝具。
【発明の詳細な説明】
【技術分野】
【０００１】
本発明は、乳幼児の保育などに利用可能な寝具であって、授乳などのスキンシップが快適に行える距離と位置関係とが保持できるとともに、親子の体格差によって寝具が偏ってしまうのを防止できる乳幼児保育用寝具に関する。
【背景技術】
【０００２】
従来より、乳幼児の保育のための寝具が種々開発されており、乳幼児とその両親とが添い寝できるような寝具も提案されている（例えば、特許文献１参照）。この特許文献１に開示された発明によれば、第１の布団カバーの一端に、第２の布団カバーを係止することにより、就寝中に二組の布団の間に隙間ができるのを防止し、乳幼児が布団から離脱してしまうのを回避することができる。
【特許文献１】特開平９−２９９２１０号公報
【発明の開示】
【発明が解決しようとする課題】
【０００３】
ところで、乳幼児を寝かしつける際には、単に親子が添い寝するだけでなく、衣類を直してやったり、温度調整をしたり、授乳をしたり等スキンシップが必要となることから、親と子との間でスキンシップが可能な距離と位置関係とが保たれている必要がある。
【０００４】
しかしながら、親と子とでは、体重・身長などが顕著に相違することから、上述した特許文献１のように、単に第１の布団カバーと第２の布団カバーとを連結したのみでは、親側と子側とでバランスが取れず、布団が親側に偏ってしまい、結果的に、乳幼児が布団から離脱してしまうという問題がある。
【０００５】
そこで、本発明は以上の点に鑑みてなされたもので、乳幼児の保育などに利用可能な寝具であって、授乳などのスキンシップが快適に行える距離と位置関係とが保持できるとともに、親子の体格差によって寝具が偏ってしまうのを防止することができる乳幼児保育用寝具を提供することをその課題とする。
【課題を解決するための手段】
【０００６】
上記課題を解決するために、本発明は、面状をなす大掛布団と、大掛布団に隣接され、大掛布団よりも面積の小さい小掛布団と、大掛布団の、小掛布団が隣接される側端部に設けられる第１の連結部と、小掛布団の、第１の連結部に対応する側端部に設けられ、第１の連結部に連結可能な第２の連結部と、小掛布団の下方において、小掛布団に着脱可能に敷設される小敷布団と、小敷布団のいずれかの側端部を、小掛布団の、大掛布団が隣接される側端部に着脱可能に係止する敷布団係止部とを備える。
【０００７】
このような本発明によれば、親側と子側とでバランスが取りづらく、親側に偏ってしまう場合であっても、子側では、掛布団となる小掛布団にさらに小敷布団が係止されているため、乳幼児が布団から離脱することがない。また、小敷布団を小掛布団から、大掛布団が隣接される側で着脱自在となっていることから、必要に応じて、小敷布団を小掛布団から全部又は部分的に分離させることができ、大掛布団と小掛布団とを連通させることができる。これにより、親子が添い寝する際、小掛布団を大掛布団内にいる母親の胸元位置に係止することができ、温度調節や授乳をする等、スキンシップのために快適な距離と位置関係、及び空間を保持することができる。
【発明の効果】
【０００８】
以上説明したように本発明の構造によれば、乳幼児の保育などに利用可能な寝具であって、温度調節や授乳などのスキンシップが快適に行える距離と位置関係とが保持できるとともに、親子の体格差によって寝具が偏ってしまう場合でも、乳幼児が布団から離脱してしまうのを防止することができる。
【０００９】
また、適度な距離と空間が保持されることにより、寝袋構造内への空気の流通経路を形成でき、乳幼児の安全な呼吸ルートを確保することができる。さらには、大掛布団と小掛布団とを連結することで、掛布団の親側への多少の偏りは許容されるため、母親の寝冷えを防止することもできる。
【００１０】
さらに、各布団を適宜分離することができるため、乳幼児が使用する小掛布団や小敷布団のみを洗濯することができ衛生的にも有利であり、また、洗濯の頻度が高い小掛布団や小敷布団のみを買い足すことができるなど、販売戦略的にも多様性を高めることができる。
【発明を実施するための最良の形態】
【００１１】
（乳幼児保育用寝具の構成）
本発明の実施形態について、図面を参照しつつ説明する。図１は、本実施形態に係る乳幼児保育用寝具の概略構成を示す外観図である。図２は、小掛布団及び小敷布団のみを拡大して示す外観図であり、図３は、図１の上面図である。
【００１２】
図１〜３に示すように、本実施形態に係る乳幼児保育用寝具は、小掛布団２と、これに隣接される左右一対の大掛布団１ａ及び１ｂと、小掛布団２の下に敷設される小敷布団４とから概略構成される。
【００１３】
大掛布団１ａ及び１ｂは、一組の面状をなす大型の布部材であり、例えば、母親Ａや父親Ｂが使用する。一方、小掛布団２は、一組の大掛布団１ａ又は１ｂに隣接配置され、大掛布団１ａ又は１ｂよりも面積の小さい小型の布部材であり、乳幼児Ｃが使用する。これらの各掛布団の上端部には、襟カバー３が面ファスナーなどにより着脱自在に取り付けられている。
【００１４】
大掛布団１ａ及び１ｂの、小掛布団２が隣接される側端部には、第１の連結部であるボタンホックベルト１１ａ及び１１ｂがそれぞれ逢着され、小掛布団２の両側部には、ボタンホックベルト１１ａ及び１１ｂに連結可能な第２の連結部であるボタンホックベルト２１ａ及び２１ｂが逢着されている。これらのボタンホックベルト１１ａ及び１１ｂと、２１ａ及び２１ｂとは、図５（側面図）に示すように、一方のボタンホックベルトの裏面と、他方のボタンホックベルトの表面を重ね合わせて、各ボタンの位置を合わせて嵌め込むことにより、相互に連結される。なお、上記第１及び第２の連結部としては、本実施形態のボタンホックベルトに替えて、面ファスナーなど、連結位置を自由に調整できるような手段であれば、種々選択して採用することができる。
【００１５】
そして、上記ボタンホックベルト１１ａ及び１１ｂと、２１ａ及び２１ｂとにより、各掛布団１ａ、１ｂ及び２は、図４に示すように、適宜、様々な態様で連結及び分離をすることができる。例えば、同図（ａ）に示すように、小掛布団２を中央に配置し、これの両側に大掛布団１ａ及び１ｂを隣接配置させてもよく、同図（ｃ）及び（ｄ）に示すように、小掛布団２に隣接させて、これの一方側に大掛布団１ａ又は１ｂのいずれかを配置させてもよい。また、同図（ｂ）に示すように、小掛布団２を除いて、大掛布団１ａと１ｂとを直接連結することもできる。
【００１６】
特に、大掛布団１ａ又は１ｂと、小掛布団２との連結位置は、小掛布団２の大掛布団１ａ又は１ｂに対して前後（図４中の矢印方向）に移動させることが可能であり、子供の成長に合わせて母親Ａ等に対する子供の相対位置を調整することができる。これによって、授乳が必要な時期では、図４に示すように、大掛布団と小掛布団との間に段差を設けるように連結することで、乳幼児の頭部を母親の胸元に位置させることができる。
【００１７】
小敷布団４は、小掛布団２の下方において、小掛布団２に着脱可能に敷設される小型の布部材である。この小敷布団４としては、例えばマットレスのような厚みと弾力のある素材を用いることが好ましい。この小敷布団４の両側端部には、図２に拡大して示すように、その長手方向に沿って、係止部としてのファスナー４１ａ及び４１ｂが設けられている。このファスナー４１ａ及び４１ｂは、小敷布団４のいずれかの側端部を、小掛布団２の、大掛布団１ａ又は１ｂが隣接される側端部に着脱可能に係止する手段である。具体的にこのファスナー４１ａ及び４１ｂは、小掛布団２の両側端下面（裏面）に設けられた係止部であるファスナー２３ａ又は２３ｂに係止される。
【００１８】
これらのファスナー４１ａ及び４１ｂ、２３ａ又は２３ｂは、本実施形態では、内側及び外側の両方から着脱及び開閉が自在なファスナーを採用しており、このファスナーによって、小掛布団２の下方に小敷布団４を係止することによって、いわゆる寝袋のような構造とすることができる。なお、これらのファスナー４１ａ及び４１ｂ、２３ａ又は２３ｂとしては、例えば、上記ファスナーの他、面ファスナー、スナップボタン等のボタン、或いはホックなどの手段を採用することができる。
【００１９】
特に、ファスナー２３ａ及び２３ｂは、図５からも判るように、小掛布団２の裏面側端部において、ボタンホックベルト２１ａ及び２１ｂよりも、内方に位置されており、ボタンホックベルト２１ａ及び２１ｂがファスナー２３ａ及び２３ｂよりも外方に突出するように構成されている。このため、ボタンホックベルト２１ａ及び２１ｂを、大掛布団１ａ又は１ｂのボタンホックベルト１１ａ又は１１ｂに連結した状態であっても、掛布団の下方（裏面）において、ファスナー２３ａ及び２３ｂのファスナー４１ａ及び４１ｂに対する連結・解除を行うことができる。特に、本実施形態では、ファスナー２３ａ及び２３ｂ、４１ａ及び４１ｂが、内外から部分的に開閉できるファスナーであるため、掛布団を掛けた状態で、隣接された小掛布団２及び小敷布団４による寝袋構造を開閉することができる。
【００２０】
（本実施形態による作用・効果）
このような本実施形態によれば、例えば、図６（ａ）に示すように、就寝時に、母親が一般の敷布団５で大掛布団１ａを掛けるような場合に、大掛布団１ａと小掛布団２とを、ボタンホックベルト１１ａ及び２１ａにより連結することで、仮に掛布団が親側に偏ってしまうようなときであっても、子側では、小掛布団２とこれに係止された小敷布団４による寝袋構造によって、乳幼児が布団から離脱することがない。
【００２１】
また、小掛布団２の側部において、ファスナー２３ａ及び４１ａの開閉によって、小敷布団４が小掛布団２から部分的に着脱自在となっていることから、同図（ｂ）に示すように、掛布団を掛けた状態で、必要に応じ、小敷布団を小掛布団から全部又は部分的に分離させることにより、大掛布団１ａと小掛布団２とを連通させる空間を形成することができる。
【００２２】
これらの結果、本実施形態によれば、母子が添い寝する際、スキンシップのために快適な距離と位置関係、及び空間を保持することができる。例えば、小掛布団２を大掛布団１ａ内にいる母親の胸元位置に係止することにより、母親は寝たままで、温度調節や授乳をすることができ、また、適度な距離と空間が保持されることにより、寝袋構造内への空気の流通経路を形成でき、乳幼児の安全な呼吸ルートを確保することができる。さらには、大掛布団１ａと小掛布団２とを連結することで、掛布団の親側への多少の偏りは許容されるため、母親の寝冷えを防止することもできる。
【００２３】
また、各布団を適宜分離することができるため、乳幼児が使用する小掛布団２や小敷布団４のみを洗濯することができ衛生的にも有利であり、また、洗濯の頻度が高い小掛布団２や小敷布団４のみを買い足すことができるなど、販売戦略的にも多様性を高めることができる。
【００２４】
（変更例）
なお、本発明は、上述した実施形態に限定されるものではなく、種々の変更を加えることができる。
【００２５】
上記実施形態では、大掛布団１ａ又は１ｂを布団としてこれにボタンホックベルト１１ａ及び１１ｂを逢着した例を説明したが、例えば、図７に示すように、大掛布団１ａ又は１ｂを、袋状に縫製された布団カバー１０ａ及び１０ｂと、この布団カバー１０ａ及び１０ｂ内に布団６を収納するように構成してもよい。この場合には、ボタンホックベルト１１ａ及び１１ｂは、布団カバー１０ａ及び１０ｂに逢着され、布団カバー１０ａ及び１０ｂ（及びボタンホックベルト１１ａ及び１１ｂ）を介して、内部の布団６が小掛布団２に連結されることとなる。
【００２６】
この変更例によれば、内部の布団６としては、一般で販売されている掛布団を利用することができるため、ユーザーの好みに適応させることができるとともに、布団カバー１０ａや１０ｂのみの洗濯が可能となるため、衛生上も有利となる。
【図面の簡単な説明】
【００２７】
【図１】実施形態に係る乳幼児保育用寝具の概略構成を示す外観図である。
【図２】実施形態に係る小掛布団及び小敷布団のみを拡大して示す外観図である。
【図３】図１の上面図である。
【図４】実施形態に係る乳幼児保育用寝具の連結態様を示す説明図である。
【図５】図１の側面図である。
【図６】実施形態に係る乳幼児保育用寝具の使用態様を示す説明図である。
【図７】変更例に係る乳幼児保育用寝具の概略構成を示す側面図である。
【符号の説明】
【００２８】
Ａ…母親
Ｂ…父親
Ｃ…乳幼児
１ａ，１ｂ…大掛布団
２…小掛布団
３…襟カバー
４…小敷布団
５…敷布団
６…布団
１０ａ，１０ｂ…布団カバー
１１ａ，１１ｂ…ボタンホックベルト（大掛布団側）
２１ａ，２１ｂ…ボタンホックベルト（小掛布団側）
２３ａ，２３ｂ…ファスナー（小掛布団側）
４１ａ，４１ｂ…ファスナー（小敷布団側）
【図１】
2009261736.tif 000003
【図２】
2009261736.tif 000004
【図３】
2009261736.tif 000005
【図４】
2009261736.tif 000006
【図５】
2009261736.tif 000007
【図６】
2009261736.tif 000008
【図７】
2009261736.tif 000009